(57)【要約】【課題】  スライドレールキット、および、スライドレールキットのレール部材に簡単に取り付けられる、或いは、レール部材より迅速に取り外せる取付装置を提供する。【解決手段】  スライドレールキット２０は、第一レール２２、第二レール２４、及び取付装置２８を備える。第二レール２４は、第一レール２２に対して縦方向に移動可能であり、放出口及び係止壁を有する。取付装置２８は第二レール２４に取り付けられており、弾性部材、及び弾性部材に連結する嵌着部を有する。嵌着部は第二レール２４の放出口に対応し、係止壁に阻止されている。【選択図】  図１
0003196887.tif 000002
【実用新案登録請求の範囲】
【請求項１】
第一レール、第二レール、及び取付装置を有するスライドレールキットであって、
前記第二レールは、前記第一レールに対して縦方向に移動可能であり、前記第二レールは放出口、及び前記放出口に隣り合う係止壁を有し、
前記取付装置は、前記第二レールに取り付けられており、弾性部材、及び、前記弾性部材に連結されている嵌着部を有し、
前記嵌着部は前記第二レールの前記放出口に対応し、前記係止壁によって阻止されていることを特徴とするスライドレールキット。
【請求項２】
前記第二レールは対象物を固定するのに用いられる接続部をさらに有することを特徴とする請求項１に記載のスライドレールキット。
【請求項３】
定位部を有する積載物に適用可能であるスライドレールキットであって、
第一レール、第二レール、及び取付装置を備え、
前記第二レールは前記第一レールに対して縦方向に移動可能であり、
前記第二レールは積載物を乗せ、放出口を有し、
前記取付装置は、前記第二レールに取り付けられており、弾性部材、及び前記弾性部材に連結される嵌着部を有し、
前記嵌着部は、前記第二レールの前記放出口に対応し、前記積載物の前記定位部に嵌着されていることを特徴とするスライドレールキット。
【請求項４】
前記第二レールは、接続部及び接続穴をさらに有し、
前記積載物は、前記接続穴に取り付けられている接触部をさらに有し、前記接続部によって固定されていることを特徴とする請求項３に記載のスライドレールキット。
【請求項５】
前記取付装置は、緩衝部をさらに有し、
前記積載物を前記第二レールに取り付ける時、前記緩衝部は、弾性により前記積載物の一つの部位を押圧することを特徴とする請求項４に記載のスライドレールキット。
【請求項６】
スライドレールキットのレール部材への取り付けに適用される取付装置であって、
前記レール部材は、放出口及び前記放出口に隣り合う係止壁を有し、
弾性部材及び嵌着部を備え、
前記嵌着部は、前記弾性部材に連結されており、前記レール部材の前記放出口に対応し、前記係止壁に阻止されていることを特徴とする取付装置。
【請求項７】
前記弾性部材に連結されている操作部をさらに備えることを特徴とする請求項６に記載の取付装置。
【請求項８】
前記レール部材は、窓口をさらに有し、
前記窓口に取り付けられている可撓性部をさらに有することを特徴とする請求項６に記載の取付装置。
【請求項９】
前記レール部材は前記窓口に隣り合う箇所に位置する係止部をさらに有し、
前記可撓性部は前記係止部に対応する凹段をさらに有することを特徴とする請求項８に記載の取付装置。
【請求項１０】
前記レール部材は少なくとも一つの支持部をさらに有し、
少なくとも一つの前記支持部を押圧する少なくとも一つの押圧密着部をさらに備えることを特徴とする請求項６に記載の取付装置。
【考案の詳細な説明】
【技術分野】
【０００１】
本考案は、スライドレールキット及び当該スライドレールキットに用いられる取付装置に関する。
【背景技術】
【０００２】
一般のスライドレールキットは、第一レール、及び第一レールに対して縦方向に移動する第二レールを含む。第二レールは積載物を取り付けて、積載するのに用いられ、積載物は第二レールの移動に従い第一レールに対して引き出されたり中に収められたりする。
【考案の概要】
【考案が解決しようとする課題】
【０００３】
市場のスライドレールキット及びその取付装置の種類は非常に多い。そのため、この種の製品の多様化が求められる環境の中で、積載物を迅速にレール部材に取り付けるために、構造が簡単で、迅速にスライドレールキットに取り付けられるレール部材をいかに提供するかが、市場において軽視できない重要な議題の一つとなっている。
【０００４】
本考案の目的は、スライドレールキット、および、スライドレールキットのレール部材に簡単に取り付けられる、或いは、レール部材より迅速に取り外せる取付装置を提供することにある。
【課題を解決するための手段】
【０００５】
本考案によるスライドレールキットは、第一レール、第二レール、及び取付装置を備える。第二レールは第一レールに対して縦方向に移動可能であり、第二レールは放出口、係止壁を含む。取付装置は第二レールに取り付けられており、弾性部材、及び弾性部材に連結されている嵌着部を有する。嵌着部は第二レールの放出口に対応し、係止壁によって阻止されている。
【０００６】
最も好ましくは、第二レールは対象物を固定するのに用いられる接続部をさらに有する。
【０００７】
本考案のもう一つのスライドレールキットは、定位部を有する積載物に適用可能である。スライドレールキットは、第一レール、第二レール、及び取付装置を備える。第二レールは第一レールに対して縦方向に移動可能である。第二レールは積載物を乗せ、放出口を有する。取付装置は、第二レールに取り付けられており、弾性部材、及び弾性部材に連結されている嵌着部を有する。嵌着部は、第二レールの放出口に対応し、積載物の定位部に嵌着されている。
【０００８】
最も好ましくは、第二レールは、接続部及び接続穴をさらに有する。積載物は、接続穴に取り付けられている接触部をさらに有し、接続部によって固定されている。取付装置は緩衝部をさらに有する。積載物を第二レールに取り付ける時、緩衝部は弾性をもって積載物の一つの部位を押圧する。
【０００９】
本考案による取付装置は、スライドレールキットのレール部材への取り付けに適用される。レール部材は、放出口及び係止壁を有する。取付装置は、弾性部材及び嵌着部を有する。嵌着部は、弾性部材に連結されており、レール部材の放出口に対応し、係止壁に阻止されている。
【００１０】
最も好ましくは、取付装置は弾性部材に連結されている操作部をさらに有する。
【００１１】
最も好ましくは、レール部材は窓口をさらに有する。取付装置は窓口に取り付けられている可撓性部をさらに有する。レール部材は窓口に隣り合う係止部をさらに有し、可撓性部は係止部に対応する凹段をさらに有する。
【００１２】
最も好ましくは、レール部材は少なくとも一つの支持部を有する。取付装置は少なくとも一つの支持部を押圧する少なくとも一つの押圧密着部をさらに備える。
【００１３】
本考案の特徴の一つは、スライドレールキットのレール部材が取付装置の働きにより積載物に用いられ、しかも、取付装置は、迅速にレール部材より取り外し可能である。
【図面の簡単な説明】
【００１４】
【図１】本考案の一実施形態による取付装置を備えたスライドレールキットを示す斜視図である。
【図２】本考案の一実施形態によるスライドレールキットを示す分解図である。
【図３Ａ】本考案の一実施形態によるスライドレールキットのレール部材と取付装置を示す分解斜視図である。
【図３Ｂ】本考案の一実施形態によるスライドレールキットのレール部材と取付装置を示す分解斜視図である。
【図４Ａ】本考案の一実施形態によるスライドレールキットのレール部材と取付装置の組立て状態を示す模式図である。
【図４Ｂ】本考案の一実施形態によるスライドレールキットのレール部材と取付装置の組立て状態を示す模式図であり、取付装置の弾性部材が操作されて一方向に弾性をもって移動することが示されている。
【図４Ｃ】本考案の一実施形態によるスライドレールキットのレール部材と取付装置の組立て状態を示す模式図であり、レール部材の取付口に挿入される取付装置が示されている。
【図４Ｄ】本考案の一実施形態によるスライドレールキットのレール部材と取付装置の組立て状態を示す模式図であり、レール部材の取付口に挿入される取付装置と、対応するレール部材の放出口に取り付けられる弾性部材の嵌着部が示されている。
【図５Ａ】本考案の一実施形態によるスライドレールキットのレール部材と取付装置の組立て状態を示す模式図である。
【図５Ｂ】本考案の一実施形態によるスライドレールキットのレール部材と取付装置の組立て状態を示す模式図であり、取付装置の可撓性部がレール部材によって若干押圧されて水平を保つことが示されている。
【図５Ｃ】本考案の一実施形態によるスライドレールキットのレール部材と取付装置の組立て状態を示す模式図であり、取付装置がレール部材の取付口に取り付けられて、可撓性部の凹段によりレール部材の係止部が押圧されることが示されている。
【図６Ａ】本考案の一実施形態によるスライドレールキットのレール部材と取付装置の組立て状態を示す斜視図である。
【図６Ｂ】本考案の一実施形態による取付装置がスライドレールキットのレール部材より嵌着解除された状態を示す図である。
【図７】本考案の一実施形態によるスライドレールキットが積載物を載せることを示した斜視図である。
【図８】本考案の一実施形態によるスライドレールキットが接続部と取付装置の働きにより積載物を取り付けることを示す分解斜視図である。
【図９Ａ】本考案の一実施形態によるスライドレールキットのレール部材と積載物の組立て状態を示す図である。
【図９Ｂ】本考案の一実施形態によるスライドレールキットのレール部材と積載物の組立て状態を示す図であり、積載物の一つの部位がレール部材の接続部に取り付けられている。
【図９Ｃ】本考案の一実施形態によるスライドレールキットのレール部材と積載物の組立て状態を示す図であり、積載物がスライドレールキットの取付装置に取り付けられており、取付装置の緩衝部が積載物の一つの部位を押圧している。
【考案を実施するための形態】
【００１５】
（一実施形態）
図１及び図２は、本考案の実施形態によるスライドレールキット２０を示し、それは、第一レール２２、第二レール２４、第一レール２２と第二レール２４間に対応させ、可動するように取り付けられた第三レール２６を備える。第三レール２６は、第一レール２２に対応して第二レール２４を縦方向に移動させるストロークを延長させるのに用いられる。取付装置２８はスライドレールキット２０のレール部材に取り付けられる。ここで、取付装置２８は第二レール２４の端部箇所に取り付けることを例としたが、これに制限されないものとする。
【００１６】
図３Ａ及び図３Ｂは本考案の実施形態による取付装置２８を第二レール２４に分離できるように組み立てることを示す。最も好ましくは、第二レール２４は第一壁３０、第一壁３０に相対する第二壁３２、第一壁３０と第二壁３２間より延長して連結される連接壁３４を備える。第一壁３０、第二壁３２、及び連接壁３４が共に取付口３６を形成する。放出口３８と窓口４０の二者はそれぞれ第二レール２４の適当位置に位置される。例えば、放出口３８は第一壁３０に近い箇所に設け、窓口４０は連接壁３４箇所に設けるが、これに制限されないものとする。係止部４２は窓口４０に隣り合う箇所に位置される。少なくとも一つの支持部４４は第一壁３０と第二壁３２のいずれか一つに連結され、取付口３６方向に屈曲する。ここでは、第一壁３０と第二壁３２にはいずれも支持部４４を連結することを例とする。好ましい実施形態において、取付装置２８は対応する第二レール２４の取付口３６に取り付けられる取付部材４６、取付部材４６に弾性をもって連結される弾性部材４８、及び弾性部材４８の適当箇所に連結される嵌着部５０を有する。本実施形態において、嵌着部５０は弾性部材４８の一方に連結されるが、これに制限されないものとする。操作部５２は弾性部材４８に連結される。ここで、操作部５２は弾性部材４８にほぼ垂直に連結される。可撓性部５４の一端は、取付部材４６の中間箇所に連結されることで、可撓性部５４は取付部材４６より上に上がった状態となる。可撓性部５４は対応される第二レール２４の窓口４０に取り付けられ、可撓性部５４は対応する第二レール２４の係止部４２に引き掛かり押圧される凹段５６、第二レール２４のいずれか一つの支持部４４を押圧することで、取付装置２８を第二レール２４に取り付ける安定性を助ける働きをする少なくとも一つの押圧密着部５８、取付部材４６に弾性をもって連結する緩衝部６０を有する。
【００１７】
図４Ａ乃至図４Ｄに示すとおり、取付装置２８を第二レール２４に取り付ける時、操作者は力Ｆを加えて弾性部材４８を押圧することで、弾性部材４８は弾力を蓄える。弾性部材４８は取付部材４６の方向に弾性をもって移動する。取付装置２８は第一方向Ｄ１に向かい第二レール２４の取付口３６内に挿入され、弾性部材４８の弾力が放出されると、弾性部材４８に連結される嵌着部５０は対応する放出口３８外に延伸され、第二レール２４に隣り合う放出口３８の係止壁３９に嵌着され、これにより、嵌着部５０は係止壁３９によって阻止され、第二レール２４の放出口３８に取り付けられる。
【００１８】
また、図５Ａ乃至図５Ｃは、取付装置２８を第二レール２４に取り付ける過程を異なる角度からみた状態を示す。取付装置２８の前記弾性部材４８或いは操作部５２が押圧され、取付装置２８が第一方向Ｄ１に取付口３６に挿入される過程において、取付装置２８の可撓性部５４は第二レール２４の一つの部位によって若干、押圧され（図５Ｂ参照）て水平を保ち、取付装置２８が完全に取付口３６内に挿入されると（図５Ｃ参照）、取付装置２８の可撓性部５４は対応する第二レール２４の窓口４０に取り付けられる。可撓性部５４の凹段５６の働きによって第二レール２４の係止部４２が押圧されるため、可撓性部５４が窓口４０に取り付けられる時、窓口４０外に飛び出すことはない。可撓性部５４及びその凹段５６の働きにより、取付装置２８が第二レール２４に取り付けられる時、その安定度はより向上する。
【００１９】
図６Ａ及び図６Ｂは、それぞれ、取付装置２８が第二レール２４に取り付けられた状態、及び取付装置２８を第二レール２４の嵌着から解除した状態を示す。操作者が取付装置２８を第二レール２４から取り外した時、操作者は外力Ｆ１を加えて取付装置２８の操作部５２を押圧すると、取付装置２８の嵌着部５０は放出口３８の係止壁３９との嵌着を解除して離脱する。また、操作者は別の外力Ｆ２を加えて取付装置２８の可撓性部５４を押圧すると、可撓性部５４は窓口４０より嵌着を解除する。これにより、取付装置２８は第二レール２４より第二方向に（前記第一方向Ｄ１とは逆）取り外す。
【００２０】
図７及び図８に示すとおり、スライドレールキット２０の第二レール２４は積載物６２（対象物）を取り付け、積載物６２を載せるのに用いられる。図７は、共同で積載物６２を載せるための一対のスライドレールキット２０を示し、各スライドレールキット２０の第二レール２４と第三レール２６は第一レール２２に対して縦方向に移動し、第一レール２２に対して延伸し開いた状態である。具体的には、図８は、接続部６４及び接続穴６６をさらに有する各スライドレールキット２０の第二レール２４を示す。また、積載物６２の各側には、対応する第二レール２４の接続穴６６に取り付けられ接続部６４によって固定される接触部６８、及び対応する取付装置２８の嵌着部５０に取り付けられる定位部７０を含む。
【００２１】
図９Ａ乃至図９Ｃに示すとおり、積載物６２を第二レール２４に取り付ける時、操作者は積載物６２を方向Ｄに、対応する第二レール２４の接続部６４に取り付ける。また、積載物６２は第二レール２４を取り付けて定位させた後、取付装置２８の嵌着部５０は対応する積載物６２の定位部７０に嵌着させる。しかも、積載物６２を第二レール２４に取り付けて定位させた後、取付装置２８の緩衝部６０は積載物６２の一つの部位に弾性をもって押圧し、積載物６２に対して緩衝作用を提供する。或いは、積載物６２の全体の長さが第二レール２４の全体の長さより短く、二者間に許容誤差がある時、緩衝部６０に弾性収縮能力があるため、許容誤差を補うことができ、積載物６２は第二レール２４にスムーズに取り付けることができる。
【００２２】
本考案は前述の好ましい実施形態に開示したが、これによって本考案を限定するものではない。よって、本考案が保護する範囲は実用新案登録請求の範囲を基準とするものとする。
【符号の説明】
【００２３】
２０  スライドレールキット、
２２  第一レール、
２４  第二レール、
２６  第三レール、
２８  取付装置、
３０  第一壁、
３２  第二壁、
３４  連接壁、
３６  取付口、
３８  放出口、
３９  係止壁、
４０  窓口、
４２  係止部、
４４  支持部、
４６  取付部材、
４８  弾性部材、
５０  嵌着部、
５２  操作部、
５４  可撓性部、
５６  凹段、
５８  押圧密着部、
６０  緩衝部、
６２  積載物、
６４  接続部、
６６  接続穴、
６８  接触部、
７０  定位部、
Ｄ  方向、
Ｄ１  第一方向、
Ｆ  力量、
Ｆ１、Ｆ２  外力。
【図１】
0003196887.tif 000003
【図２】
0003196887.tif 000004
【図３Ａ】
0003196887.tif 000005
【図３Ｂ】
0003196887.tif 000006
【図４Ａ】
0003196887.tif 000007
【図４Ｂ】
0003196887.tif 000008
【図４Ｃ】
0003196887.tif 000009
【図４Ｄ】
0003196887.tif 000010
【図５Ａ】
0003196887.tif 000011
【図５Ｂ】
0003196887.tif 000012
【図５Ｃ】
0003196887.tif 000013
【図６Ａ】
0003196887.tif 000014
【図６Ｂ】
0003196887.tif 000015
【図７】
0003196887.tif 000016
【図８】
0003196887.tif 000017
【図９Ａ】
0003196887.tif 000018
【図９Ｂ】
0003196887.tif 000019
【図９Ｃ】
0003196887.tif 000020